【手続補正書】
【提出日】平成17年12月13日(2005.12.13)
【手続補正１】
【補正対象書類名】明細書
【補正対象項目名】特許請求の範囲
【補正方法】変更
【補正の内容】
【特許請求の範囲】
【請求項１】  テレビジョン放送により伝送される番組コンテンツデータと番組に関する番組情報データとを受信手段で受信して処理する情報処理装置であって、
一つの番組が複数の小番組で構成される番組の当該小番組に関する小番組情報を取得する取得手段と、
上記番組情報データに基づいて、上記小番組情報を表示手段に表示させる表示制御手段と、
上記受信手段により受信された番組コンテンツデータに含まれる上記小番組の小番組コンテンツデータに対して所定の処理を実行する処理手段と、
上記表示手段に表示された上記小番組情報より任意の小番組を指定して当該指定された小番組に対する処理を所定時間に実行するようにタイマ予約する予約設定手段とを備えることを特徴とする情報処理装置。
【請求項２】  上記処理手段は、上記小番組コンテンツデータの表示又は記録であることを特徴とする請求項１に記載の情報処理装置。
【請求項３】  上記表示制御手段は、上記番組情報データを表示して上記小番組情報を表示しない第１のモードと、上記番組情報とともに上記小番組情報を表示する第２のモードとを有し、当該第１のモードと第２のモードとを切換え可能であることを特徴とする請求項１に記載の情報処理装置。
【請求項４】  上記表示制御手段は上記第１のモードにおいて、上記番組情報データを番組表の形態で上記表示手段に表示させ、更に、上記複数の小番組で構成される番組であることを示すマーク表示を上記番組表内に表示させることを特徴とする請求項３に記載の情報処理装置。
【請求項５】  上記表示制御手段は、上記予約設定手段により上記小番組に対してタイマ予約が設定された場合、上記マーク表示の表示形態を変更することを特徴とする請求項４に記載の情報処理装置。
【請求項６】  上記表示制御手段は、マニュアル操作による上記マーク表示の指示に応じて上記第１のモードから上記第２のモードへ切換えることを特徴とする請求項４に記載の情報処理装置。
【請求項７】  テレビジョン放送の番組データを受信して処理する情報処理装置であって、
上記番組データとして、１つの番組が複数のジャンルの異なる小番組で構成された番組データが受信された場合、当該受信番組データから、少なくとも映像データ、音声データ、及び文字データの何れかを含む小番組データ、及び小番組に関する情報を取得する取得手段と、
上記取得手段で得られた小番組情報に基づいた電子番組表を表示すると共に、当該電子番組表において、上記小番組情報に基づき上記複数の小番組をジャンル別に色分けして画面表示する表示手段とを備えることを特徴とする情報処理装置。
【請求項８】  上記取得手段で得られた小番組データに対して視聴予約及び録画予約の少なくとも何れかの予約処理を実行する処理手段と、
上記表示手段による表示画面上から指定された任意の小番組に対する上記予約処理を所定時間に実行するようにタイマ予約する予約設定手段とを備えることを特徴とする請求項７記載の情報処理装置。
【請求項９】  テレビジョン放送の送信側と受信側を含む番組放送システムであって、
上記受信側は、請求項１〜８の何れか１項に記載の情報処理装置の機能を有することを特徴とする番組放送システム。
【請求項１０】  テレビジョン放送により伝送される番組コンテンツデータと番組に関する番組情報データとを受信ステップにて受信して処理する情報処理方法であって、
一つの番組が複数の小番組で構成される番組の当該小番組に関する小番組情報を取得する取得ステップと、
上記番組情報データに基づいて、上記小番組情報を表示手段に表示させる表示制御ステップと、
上記受信ステップにより受信された番組コンテンツデータに含まれる上記小番組の小番組コンテンツデータに対して所定の処理を実行する処理ステップと、
上記表示手段に表示された上記小番組情報より任意の小番組を指定して当該指定された小番組に対する処理を所定時間に実行するようにタイマ予約する予約設定ステップとを備えることを特徴とする情報処理方法。
【請求項１１】  上記処理ステップは、上記小番組コンテンツデータの表示又は記録であることを特徴とする請求項１０に記載の情報処理方法。
【請求項１２】  上記表示制御ステップは、上記番組情報データを表示して上記小番組情報を表示しない第１のモードと、上記番組情報データとともに上記小番組情報を表示する第２のモードとを有し、当該第１のモードと第２のモードとを切換え可能であることを特徴とする請求項１０に記載の情報処理方法。
【請求項１３】  上記表示制御ステップは上記第１のモードにおいて、上記番組情報データを番組表の形態で上記表示手段に表示させ、更に、上記複数の小番組で構成される番組であることを示すマーク表示を上記番組表内に表示させることを特徴とする請求項１２に記載の情報処理方法。
【請求項１４】  上記表示制御ステップは、上記予約設定ステップにより上記小番組に対してタイマ予約が設定された場合、上記マーク表示の表示形態を変更することを特徴とする請求項１３に記載の情報処理方法。
【請求項１５】  上記表示制御ステップは、マニュアル操作による上記マーク表示の指示に応じて上記第１のモードから上記第２のモードへ切換えることを特徴とする請求項１３に記載の情報処理方法。
【請求項１６】  テレビジョン放送の番組データを受信して処理する情報処理方法であって、
上記番組データとして、１つの番組が複数のジャンルの異なる小番組で構成された番組データが受信された場合、当該受信番組データから、少なくとも映像データ、音声データ、及び文字データの何れかを含む小番組データ、及び小番組に関する情報を取得する取得ステップと、
上記取得ステップで得られた小番組情報に基づいた電子番組表を表示すると共に、当該電子番組表において、上記小番組情報に基づき上記複数の小番組をジャンル別に色分けして画面表示する表示ステップとを備えることを特徴とする情報処理方法。
【請求項１７】  請求項１０〜１６の何れか１項に記載の情報処理方法の処理ステップをコンピュータに実行させるためのプログラムを記録したコンピュータ読取り可能な記憶媒体。
【請求項１８】  請求項１０〜１６の何れか１項に記載の情報処理方法の処理ステップをコンピュータに実行させるためのプログラム。
【手続補正２】
【補正対象書類名】明細書
【補正対象項目名】００１６
【補正方法】変更
【補正の内容】
【００１６】
【課題を解決するための手段】
斯かる目的下において、本発明の情報処理装置は、テレビジョン放送により伝送される番組コンテンツデータと番組に関する番組情報データとを受信手段で受信して処理する情報処理装置であって、一つの番組が複数の小番組で構成される番組の当該小番組に関する小番組情報を取得する取得手段と、上記番組情報データに基づいて、上記小番組情報を表示手段に表示させる表示制御手段と、上記受信手段により受信された番組コンテンツデータに含まれる上記小番組の小番組コンテンツデータに対して所定の処理を実行する処理手段と、上記表示手段に表示された上記小番組情報より任意の小番組を指定して当該指定された小番組に対する処理を所定時間に実行するようにタイマ予約する予約設定手段とを備えることを特徴とする。
【手続補正３】
【補正対象書類名】明細書
【補正対象項目名】００１７
【補正方法】変更
【補正の内容】
【００１７】
また、本発明の情報処理装置は、テレビジョン放送の番組データを受信して処理する情報処理装置であって、上記番組データとして、１つの番組が複数のジャンルの異なる小番組で構成された番組データが受信された場合、当該受信番組データから、少なくとも映像データ、音声データ、及び文字データの何れかを含む小番組データ、及び小番組に関する情報を取得する取得手段と、上記取得手段で得られた小番組情報に基づいた電子番組表を表示すると共に、当該電子番組表において、上記小番組情報に基づき上記複数の小番組をジャンル別に色分けして画面表示する表示手段とを備えることを特徴とする。
【手続補正４】
【補正対象書類名】明細書
【補正対象項目名】００１８
【補正方法】変更
【補正の内容】
【００１８】
また、本発明の情報処理方法は、テレビジョン放送により伝送される番組コンテンツデータと番組に関する番組情報データとを受信ステップにて受信して処理する情報処理方法であって、一つの番組が複数の小番組で構成される番組の当該小番組に関する小番組情報を取得する取得ステップと、上記番組情報データに基づいて、上記小番組情報を表示手段に表示させる表示制御ステップと、上記受信ステップにより受信された番組コンテンツデータに含まれる上記小番組の小番組コンテンツデータに対して所定の処理を実行する処理ステップと、上記表示手段に表示された上記小番組情報より任意の小番組を指定して当該指定された小番組に対する処理を所定時間に実行するようにタイマ予約する予約設定ステップとを備えることを特徴とする。
【手続補正５】
【補正対象書類名】明細書
【補正対象項目名】００１９
【補正方法】変更
【補正の内容】
【００１９】
また、本発明の情報処理方法は、テレビジョン放送の番組データを受信して処理する情報処理方法であって、上記番組データとして、１つの番組が複数のジャンルの異なる小番組で構成された番組データが受信された場合、当該受信番組データから、少なくとも映像データ、音声データ、及び文字データの何れかを含む小番組データ、及び小番組に関する情報を取得する取得ステップと、上記取得ステップで得られた小番組情報に基づいた電子番組表を表示すると共に、当該電子番組表において、上記小番組情報に基づき上記複数の小番組をジャンル別に色分けして画面表示する表示ステップとを備えることを特徴とする。
【手続補正６】
【補正対象書類名】明細書
【補正対象項目名】００５６
【補正方法】変更
【補正の内容】
【００５６】
映像復号化部２０６は、多重分陸部２０４により得られた映像データを、符号化前の元の映像データに戻し、これを映像信号処理部２０７に供給する。
映像信号処理部２０７は、映像復号化部２０６からの映像データに対して、ＣＰＵ２０９（処理手段）から供給される電子番組表やその他の画像データとの合成処理を施し、当該処理のデータを、外部接続された表示装置２１９（或いは受像装置２００に設けられた不図示の表示部等）に対して出力する。
【手続補正７】
【補正対象書類名】明細書
【補正対象項目名】００５７
【補正方法】変更
【補正の内容】
【００５７】
データ復号化部２０８は、多重分陸部２０４により得られた、番組情報及び番組構成情報を含むデータを、符号化前の元のデータに戻し、これを取得手段としてのＣＰＵ２０９に供給する。
【手続補正８】
【補正対象書類名】明細書
【補正対象項目名】００５９
【補正方法】変更
【補正の内容】
【００５９】
ＣＰＵ２０９で生成された画像データは、表示制御手段としての映像信号処理部２０７に供給され、上述したように、放送装置１００から送信された放送波に含まれる映像データと合成処理された後、外部接続された表示装置２１９（或いは受像装置２００に設けられた不図示の表示部等）で表示出力（再生）される。
【手続補正９】
【補正対象書類名】明細書
【補正対象項目名】００７４
【補正方法】変更
【補正の内容】
【００７４】
そこで、ユーザ（視聴者）が、上記図４のＥＰＧ画面４３０を参照し、例えば、「番組４１」の「スポーツ」の項目（コーナー）のみを視聴したいという場合、ユーザは、番組構成情報の表示部分４３１において、「スポーツ」の項目に対応する選択／非選択を示す記号を"選択"とする（上記図４では、"黒塗り四角：■"とする）。
このときのユーザ操作方法としては、例えば、画面上のカーソル操作や、予約設定手段としてのリモコン２１５に設けられた矢印キー操作等により、所望する項目を選択し、その後、完了ボタンで決定する等の様々な方法を適用可能である。